(57)【要約】【課題】  ラベルを剥がす際の煩わしさを解消することで、消費者によるより積極的な分別回収を促すことを可能にする新規な構成のプラスチックボトルを提案する。【解決手段】  ボトル容器２の表面２２にラベル３を巻きつけるようにして付設したプラスチックボトル１であって、ラベル３は、ラベル３の幅方向Ｘの両側の端部が対向する部位に、ボトル容器２の表面２２が露出する露出箇所Ｒが形成されように貼付され、露出箇所Ｒとラベル３の境界に、ラベル３を剥離させる際の剥離起点（尖端４０）が構成される、こととする。【選択図】図３
2020152381.tif 000002
【特許請求の範囲】
【請求項１】
ボトル容器の表面にラベルを巻きつけるようにして付設したプラスチックボトルであって、
前記ラベルは、前記ラベルの幅方向の両側の端部が対向する部位に、前記ボトル容器の表面が露出する露出箇所が形成されように貼付され、
前記露出箇所と前記ラベルの境界に、前記ラベルを剥離させる際の剥離起点が構成される、
プラスチックボトル。
【請求項２】
前記剥離起点は、爪の先端を引っ掛け易い尖端を有する形状とする、
ことを特徴とする、請求項１に記載のプラスチックボトル。
【請求項３】
前記ラベルは、長方形、正方形、平行四辺形、又は、台形にて構成され、少なくとも一つの角部が剥離起点として構成される、
ことを特徴とする、請求項１又は請求項２に記載のプラスチックボトル。
【請求項４】
前記露出箇所は、前記ラベルの幅方向の両端の縦辺の間に形成される帯状の隙間にて構成される、
ことを特徴とする、請求項３に記載のプラスチックボトル。
【請求項５】
前記ラベルの幅方向の寸法は、前記ラベルが貼付される前記ボトル容器の表面の部位の周長の１０%〜９９%とする、
ことを特徴とする、請求項４に記載のプラスチックボトル。
【請求項６】
前記ラベルを前記ボトル容器の表面に接着するための接着剤を付すための接着スペースにおいて、前記剥離起点の箇所を除いて接着剤を付すための非接着領域が設けられる、
ことを特徴とする、請求項１乃至請求項５のいずれか一項に記載のプラスチックボトル。
【請求項７】
前記剥離起点の箇所に、剥離起点であることを示す剥がし口マークが表示される、
ことを特徴とする、請求項１乃至請求項６のいずれか一項に記載のプラスチックボトル。
【請求項８】
前記ラベルにおいて前記ボトル容器の表面と接触する側となるうら面に、表示スペースが設けられる、
ことを特徴とする、請求項１乃至請求項７のいずれか一項に記載のプラスチックボトル。 
【発明の詳細な説明】
【技術分野】
【０００１】
本発明は、飲料が充填されるプラスチックボトルに関し、表面に設けられるラベルに関するものである。
【背景技術】
【０００２】
従来、清涼飲料水や果汁飲料などを充填するペットボトル（ＰＥＴボトル）などのプラスチックボトルにおいて、商品名、図柄、内容物の説明などが表示されるラベルが貼付されることが行われている。
【０００３】
このラベルは、合成樹脂製のプラスチックフィルムから構成されるものであり、近年の環境に対する消費者の意識改善の向上につれて、飲用後にペットボトルを廃棄する際に、ラベルを剥がして分別廃棄することが一般的に行われるようになっている。ペットボトルに充填された飲料の年間一人あたりの消費量は増加し続けており、ラベルを剥がして廃棄する機会も必然的に増えている。
【０００４】
このラベルに関し、例えば、特許文献１では、ラベルの両端を重ね合わせるように筒状の容器に巻きつける形態において、剥離性に優れたラベルを実現すべく、ボトルと接着させるラベルの一端側に使用される糊（接着剤）と、ラベル同士が接着することになるラベルの他端側に使用される糊（接着剤）とが相違する構成について開示するものである。
【先行技術文献】
【特許文献】
【０００５】
【特許文献１】特開２００８−１２９５６８号公報
【発明の概要】
【発明が解決しようとする課題】
【０００６】
上述した特許文献１に開示されるような、ラベルの両端が重なりラップすることで「重ね合わせ部」が形成される構成とする、いわゆる「ロールラベル」は、環境面や製造効率の向上等の観点から、幅広く採用されがされており、今後も増加することが見込まれる。
【０００７】
このようなロールラベルを剥がす際には、重ね合わせ部の角部分に爪を引っ掛けるようにして剥がし始めることが必要となるが、この作業の煩わしい点について検討を行った。
【０００８】
まず、ラベルの重ね合わせ部では、上層と下層が同質素材のフィルムであることから指で触った感触が同じであり、指の感触だけでは角部分が認識することができず、目視で注視して角部分を探す必要があり、この点に煩わしさが存在することになる。
【０００９】
ところが、デザイン上の観点から、外観上は重ね合わせ部において切れ目なく連続性をもたせることが採用されるため、重ね合わせ部や角部分の箇所が瞬時に認識しにくく、これにより、煩わしさといった心理的負担が増大し、ラベルを剥がす意欲を失わせてしまうことが懸念される。
【００１０】
また、重ね合わせ部の角部分を目視で確認できたとしても、爪を引っ掛けるべき箇所となる角部分の頂点に、爪の先端をピッタリと合わせに行かなければならず、ちょうど爪を引っ掛けるために指を数回動かすことを強いることも懸念される。
【００１１】
以上に鑑み、本願発明は、ラベルを剥がす際の煩わしさを解消することで、消費者によるより積極的な分別回収を促すことを可能にする新規な構成のプラスチックボトルを提案するものである。
【課題を解決するための手段】
【００１２】
本発明の解決しようとする課題は以上の如くであり、次にこの課題を解決するための手段を説明する。
【００１３】
即ち、請求項１に記載のごとく、
ボトル容器の表面にラベルを巻きつけるようにして付設したプラスチックボトルであって、
前記ラベルは、前記ラベルの幅方向の両側の端部が対向する部位に、前記ボトル容器の表面が露出する露出箇所が形成されように貼付され、
前記露出箇所と前記ラベルの境界に、前記ラベルを剥離させる際の剥離起点が構成される、
プラスチックボトルとする。
【００１４】
また、請求項２に記載のごとく、
前記剥離起点は、爪の先端を引っ掛け易い尖端を有する形状とする。
【００１５】
また、請求項３に記載のごとく、
前記ラベルは、長方形、正方形、平行四辺形、又は、台形にて構成され、少なくとも一つの角部が剥離起点として構成される、こととする。
【００１６】
また、請求項４に記載のごとく、
前記露出箇所は、前記ラベルの幅方向の両端の縦辺の間に形成される帯状の隙間にて構成される、こととする。
【００１７】
また、請求項５に記載のごとく、
前記ラベルの幅方向の寸法は、前記ラベルが貼付される前記ボトル容器の表面の部位の周長の１０%〜９９%とする、こととする。
【００１８】
また、請求項６に記載のごとく、
前記ラベルを前記ボトル容器の表面に接着するための接着剤を付すための接着スペースにおいて、前記剥離起点の箇所を除いて接着剤を付すための非接着領域が設けられる、こととする。
【００１９】
また、請求項７に記載のごとく、
前記剥離起点の箇所に、剥離起点であることを示す剥がし口マークが表示される、こととする。
【００２０】
また、請求項８に記載のごとく、
前記ラベルにおいて前記ボトル容器の表面と接触する側となるうら面に、表示スペースが設けられる、こととする。
【発明の効果】
【００２１】
本発明の構成によれば、露出箇所とラベルの境界が見つかり易く剥離起点を瞬時に見つけることが可能となり、また、ボトル容器の表面とラベルの手指の感触により剥離起点を認識することが可能となり、剥離起点を探り出し易い構成が実現できる。このようにして、消費者の心理的負担も低減され、環境意識に基づいた分別回収がより促進され、プラスチックボトル（PETボトル）の分別回収の品質にも繋げることができる。さらに、使用するラベルの量が低減されるため、省資源化を図ることもできる。
【図面の簡単な説明】
【００２２】
【図１】本発明の一実施形態に係るプラスチックボトルについて示す図。
【図２】（Ａ）はラベルのおもて面について示す図。（Ｂ）はラベルのうら面について示す図。
【図３】ラベルを剥がす様子について示す図。
【発明を実施するための形態】
【００２３】
図１に示すように、本願発明の一実施形態に係るプラスチックボトル１は、ボトル容器２の周方向に沿って、ボトル容器２の表面２２の一部が露出するようにラベル３がロールして貼付されるものである。
【００２４】
ボトル容器２は、従来ペットボトル（ＰＥＴボトル）として周知のものであり、プリフォームを二軸延伸ブロー成形法により加工することで成形されるものである。
【００２５】
図１に示されるボトル容器２は断面が円形の円筒形に構成されるものであるが、この他、段形状、四角形状、六角形状などの角柱型にするなど、ボトル容器については、特に形状を限定するものではない。ボトル容器２は、中心軸に沿うように、口部、肩部、胴部、底部を順に有して構成される。
【００２６】
ボトル容器２の胴部の表面には、合成樹脂製のプラスチックフィルムで構成されるラベル３が貼付される。ラベル３の厚みは約１０μｍ〜１００μｍであり、素材とする合成樹脂は、OPP（Oriented Polypropylene）やPET（Polyethylene Terephthalate）とすることができる。
【００２７】
ラベル３は、例えば、ロール状に巻かれた帯状のフィルムを送り出して所定の長さにカットされた後、接着剤がうら面に付与されてボトル容器２の胴部の表面に貼付されるものである。
【００２８】
図２（Ａ）は、カットされたラベル３のおもて面４について示すものであり、おもて面４は、商品名、図柄、内容物の説明などの各種情報を表示するための表示スペース５として使用される。
【００２９】
図２（Ａ）に示すように、ラベル３は、縦寸法Ｈ、幅寸法Ｗとする長方形状にて構成され、この例では、幅寸法Ｗが縦寸法Ｈよりも長い長方形状にて構成される。縦方向Ｙの両端の横辺３２，３２と、幅方向Ｘの両端の縦辺３３，３３は、それぞれ直角に交わることで、直角をなす角部分１２，１２が合計四箇所に形成される。なお、ラベル３の形状については、長方形状の他、正方形、平行四辺形、台形などであってもよい。
【００３０】
図２（Ａ）に示すように、４つの角部分１２のうち、上側の二箇所の角部分１２に、それぞれ、剥がし口マーク１４（剥がし口マーク）が表示される。剥がし口マーク１４は、本実施例では、角部分１２の直角部分を指す二等辺三角形で構成される。なお、上側の一箇所の角部分１２のみに剥がし口マーク１４を設けることや、下側の二箇所の角部分１２にも剥がし口マーク１４を設けて合計四箇所にマークが表示されることとしてもよい。
【００３１】
図２（Ｂ）は、カットされたラベル３のうら面６について示すものであり、うら面６の所定の箇所が接着剤（糊）を配置するための接着スペース７として使用される。本実施例では、ラベル３の幅方向の両端の縦辺３３，３３に沿うように、接着スペース７が帯状（点線で囲んだ領域）に形成され、この接着スペース７の箇所に図示せぬ接着剤が塗布などにより配置される。
【００３２】
なお、この接着剤は、ラベル３を貼付する直前の工程において塗布されることや、予め塗布されることとしてもよく、特に限定されるものではない。また、接着剤はボトル容器の表面に配置されることとしてもよく、また、熱圧着による接着によりラベルが貼付されることとしてもよい。
【００３３】
また、接着スペース７には、角部分１２の箇所を除いて接着剤を付すための非接着領域１５，１５が設けられることとする。これにより、角部分１２においてラベル３とボトル容器１の表面の間には接着剤が介在しない状況となり、手指の爪を引っ掛けた際に当該角部分１２を容易に捲り上げることが可能となる。
【００３４】
なお、角部分１２の領域としては、具体的には、例えば、ラベル３の二辺の縁を含む５ｍｍ四方の領域、或いは、ラベル３の二辺の縁を含み、当該二辺の長さを５ｍｍとする二等辺直角三角形の領域等とすることができる。
【００３５】
また、ラベル３のうら面６の一部、又は、全部を、商品名、図柄、内容物の説明などの各種情報を表示するための表示スペース９として利用してもよい。
【００３６】
図１に示すように、ラベル３は、ボトル容器２の全周を取り囲むのではなく、ラベル３の幅方向Ｘの両端の縦辺３３，３３の間に幅Ｕの露出箇所Ｒ（隙間）ができるように構成されており、これにより、露出箇所Ｒにおいてボトル容器２の表面２２が露出する。
【００３７】
幅Ｕの隙間で構成される露出箇所Ｒを形成するために、図２（Ａ）に示す如く、長方形状のラベル３の幅寸法Ｗは、ボトル容器２におけるラベル３が付設される部位の周長の１００％未満に設定されるものであり、例えば、１０％〜９９％とすることができ、この数値は、例えば、必要な表示スペースの面積等を加味して設計することができる。また、露出箇所Ｒの隙間の幅Ｕを、例えば、２ｍｍ以上２０ｍｍ以下とすることよれば、ラベルの表面から一段低くなった露出箇所Ｒの部分を「溝」として構成することができ、詳しくは後述するように、手指や爪の感触による角部分１２や尖端４０の認識をより容易なものとすることができる。
【００３８】
以上のようにして、図１及び図３に示すように、ボトル容器２の表面２２の露出箇所Ｒが形成されることで、ラベル３の角部分１２を構成する直交する二辺（横辺３２、縦辺３３）が、ボトル容器２の表面２２とラベル３の境界線となり、二辺の交点にて構成される角部分１２の尖端４０が容易に視認できるようになる。
【００３９】
そして、図１及び図３に示すように、この尖端４０には爪の先端が引っ掛かり易いため、ラベルを剥がす際の剥離起点として用いられることができる。図１の例では、角部が９０度の直角で鋭利なものとなり、尖端４０を起点として剥離を開始し易い構成が実現できる。なお、尖端４０角度は９０度以外とすることもでき、好ましくは、２０度から１５０度の間、更に好ましくは、４５度から１２０度の間で設定することができる。
【００４０】
また、図３に示すように、ボトル容器２の表面２２と、ラベル３の表面とでは手指の感触が異なるため、手指の感触によっても、剥離起点となる尖端４０の位置を探り出し易いものとなる。また、角部分１２の尖端４０の周囲２７０度の範囲がボトル容器２の表面２２に囲まれている状態となるため、ボトル容器２の表面２２に手指や、爪の先をつたわせる際に、２７０度もの広い方向から尖端４０を探ることが可能となり、目視で確認せずに、手指や爪の感触だけによっても尖端４０を容易に探り出すことができる。
【００４１】
以上のようにして本発明を実現することができる。
即ち、図１乃至図３に示すように、
ボトル容器２の表面２２にラベル３を巻きつけるようにして付設したプラスチックボトル１であって、
ラベル３は、ラベル３の幅方向Ｘの両側の端部（縦辺３３，３３）が対向する部位に、ボトル容器２の表面２２が露出する露出箇所Ｒが形成されように貼付され、
露出箇所Ｒとラベル３の境界に、ラベル３を剥離させる際の剥離起点（尖端４０）が構成される、こととするものである。
【００４２】
これにより、露出箇所Ｒとラベル３の境界が見つかり易く剥離起点を瞬時に見つけることが可能となり、また、ボトル容器２の表面２２とラベル３の手指の感触により剥離起点を認識することが可能となり、剥離起点を探り出し易い構成が実現できる。このようにして、消費者の心理的負担も低減され、環境意識に基づいた分別回収がより促進され、プラスチックボトル（PETボトル）の分別回収の品質にも繋げることができる。さらに、使用するラベルの量が低減されるため、省資源化を図ることもできる。加えて、従来画一的であった「重ね合わせ部」が存在するロールラベルを貼り付けたプラスチックボトルにおいて、本願の構成では、露出箇所の存在によってラベルのデザインが連続しない部分を構成することも可能となり、外観上においても既存商品との差別化が図られ、新たなデザイン性を訴求することが可能となる。
【００４３】
また、剥離起点は、爪の先端を引っ掛け易い尖端４０を有する形状とする、こととするものである。
【００４４】
これにより、一連の作業において、最も注意力と神経を費やす必要がある剥離の開始作業において、爪の先端が引っかかり易くなることで、消費者の負担を軽減することができる。
【００４５】
また、ラベル３は、長方形、正方形、平行四辺形、又は、台形にて構成され、少なくとも一つの角部が剥離起点として構成される、こととするものである。
【００４６】
これにより、図１に示すように、合計四箇所の角部を構成することができ、剥離起点を四箇所に形成することができる。これにより、左方向、右方向のいずれの剥がし方向にも剥がすことができ、消費者の利き腕（左手又は右手）により剥し易い方向を制限することがなく、いわゆるユニバーサルデザインを実現することができる。
【００４７】
また、露出箇所Ｒは、ラベル３の幅方向Ｘの両端の縦辺３３，３３の間に形成される帯状の隙間にて構成される、こととするものである。
【００４８】
このように、帯状の隙間とすることで、隙間の箇所に手指をおいた状態から、手指を左右のどちらに動かしてもラベルの縦辺３３に到達させることができ、左方向、右方向のいずれの剥がし方向にも剥がし易い構成が実現できる。また、実際の製造工程では、ラベルの貼付の工程において、右回り、左回りのいずれかでロールを巻き付けるように貼付する（ロールラベル）ものであり、その巻き付け方向によって装置構成や工程が相違することになるが、「重ね合わせ部」が存在しない構成とすることによれば、右回り、左回りのいずれの装置構成、工程にも対応することができ、導入が容易である。
【００４９】
また、帯状の隙間の幅は、２ｍｍ以上２０ｍｍ以下である、こととするものである。
または、前記ラベルの幅方向の寸法（幅寸法Ｗ）は、前記ラベルが貼付される前記ボトル容器の表面の部位の周長の１０%〜９９%とする、ものである。
【００５０】
これによれば、露出箇所Ｒの部分がラベルの表面から一段低くなった「溝」として構成することができ、この「溝」をつたうようにして、剥離起点に向けて手指や爪の先端をガイドして容易に到達させることができ、ラベルを剥がす一連の作業をより容易に実施することができる。
【００５１】
また、図１、図２（Ｂ）に示すように、ラベル３においてボトル容器２の表面と接触する側となるうら面６に、表示スペース９が設けられる、こととするものである。
【００５２】
これにより、うら面６の表示スペース９に表示された商品名、図柄、内容物の説明などの各種情報が、露出箇所Ｒを通じて視認できる構成が実現でき、他のプラスチックボトルのラベルとは異なったディスプレイ効果を発揮することができる。
【００５３】
また、ラベルのおもて面において、剥離起点の箇所に、剥離起点であることを示す剥がし口マーク１４が表示される、こととするものである。
【００５４】
これにより、目視によって、より容易に剥離起点を認識することができる。
【００５５】
また、図２（Ｂ）に示すように、ラベル３をボトル容器２の表面２２に接着するための接着剤を付すための接着スペース７において、剥離起点の箇所（角部分１２の箇所）を除いて接着剤を付すための非接着領域１５，１５が設けられる、こととするものである。
【００５６】
これにより、剥離起点において、ラベル３とボトル容器１の表面の間には接着剤が介在しない状況となり、手指の爪を引っ掛けた際に剥離起点を容易に捲り上げることができる。
【符号の説明】
【００５７】
１    プラスチックボトル
２    ボトル容器
３    ラベル
４    おもて面
６    うら面
７    接着スペース
１２  角部分
１４  剥がし口マーク
２２  表面
３２  横辺
３３  縦辺
４０  尖端
【図１】
2020152381.tif 000003
【図２】
2020152381.tif 000004
【図３】
2020152381.tif 000005